(57)【要約】【課題】所望とする箇所に対して刺激を与える際に、操作がしやすい美容ローラーを提供する。【解決手段】本考案に係る美容ローラー１は、把持部材５と、前記把持部材５から延出する主棹７と、前記主棹７から２方に分岐した２本の副棹８と、前記２本の副棹８間に回転自在に配された第１多面体ローラー１０と、前記２本の副棹８の外側に回転自在に配された２個の第２多面体ローラー２０と、を有し、前記第１多面体ローラー１０と前記２個の第２多面体ローラー２０は、前記把持部材５の長手方向に対して垂直な方向に回転軸を有することを特徴とする。【選択図】      図１
0003220432.tif 000002
【実用新案登録請求の範囲】
【請求項１】
把持部材と、
前記把持部材から延出する主棹と、
前記主棹から２方に分岐した２本の副棹と、
前記２本の副棹間に回転自在に配された第１多面体ローラーと、
前記２本の副棹の外側に回転自在に配された２個の第２多面体ローラーと、を有し、
前記第１多面体ローラーと前記２個の第２多面体ローラーは、前記把持部材の長手方向に対して垂直な方向に回転軸を有することを特徴とする美容ローラー。
【請求項２】
前記第１多面体ローラーと前記２個の第２多面体ローラーとが結晶シリコンからなることを特徴とする請求項１に記載の美容ローラー。
【請求項３】
前記第１多面体ローラーの経が、前記２個の第２多面体ローラーの経より小径であることを特徴とする請求項１又は請求項２に記載の美容ローラー。
【請求項４】
前記第１多面体ローラーと前記２個の第２多面体ローラーのうちの少なくとも１個の多面体ローラーが金塗膜を有することを特徴とする請求項１乃至請求項３のいずれか１項に記載の美容ローラー。
【考案の詳細な説明】
【技術分野】
【０００１】
本考案は、マッサージにより美容効果を増進する美容ローラーに関する。
【背景技術】
【０００２】
従来、肌に刺激を与えることで、美容効果を増進する器具として美容ローラーが提案されている。
【０００３】
例えば、特許文献１（実用新案登録第３１７８７４１号公報）には、特に顔に対する美容効果を増進させる美顔ローラーが提案されており、その構成として、グリップ部と回転可能なマッサージローラー部を備えた美顔ローラーにおいて、前記マッサージローラー部は、矩形面と三角形面を組み合わせた複合表面を備えた多角形構造の独立したローラーユニットを複数重ねると共に、前記複数のローラーユニットは金属シリコンを含有した美顔ローラーが開示されている。
【特許文献１】実用新案登録第３１７８７４１号公報
【考案の開示】
【考案が解決しようとする課題】
【０００４】
特許文献１に記載された従来の美顔ローラーでは、複数のローラーユニットの回転軸が、グリップ部の長手方向と同じ方向と同じ方向であるために、当該グリップ部を持ちながら上下に美顔ローラーを利用しようとすると、脇を開きながらこれを行わなければならず、美顔ローラーの操作がし難い、という問題があった。
【課題を解決するための手段】
【０００５】
上記のような課題を解決するために、本考案に係る美容ローラーは、把持部材と、前記把持部材から延出する主棹と、前記主棹から２方に分岐した２本の副棹と、前記２本の副棹間に回転自在に配された第１多面体ローラーと、前記２本の副棹の外側に回転自在に配された２個の第２多面体ローラーと、を有し、前記第１多面体ローラーと前記２個の第２多面体ローラーは、前記把持部材の長手方向に対して垂直な方向に回転軸を有することを特徴とする。
【０００６】
また、本考案に係る美容ローラーは、前記第１多面体ローラーと前記２個の第２多面体ローラーとが結晶シリコンからなることを特徴とする。
【０００７】
また、本考案に係る美容ローラーは、前記第１多面体ローラーの経が、前記２個の第２多面体ローラーの経より小径であることを特徴とする。
【０００８】
また、本考案に係る美容ローラーは、前記第１多面体ローラーと前記２個の第２多面体ローラーのうちの少なくとも１個の多面体ローラーが金塗膜を有することを特徴とする。
【考案の効果】
【０００９】
本考案の美容ローラーでは、多面体ローラーは把持部材の長手方向に対して垂直な方向に回転軸を有するので、本考案の美容ローラーによれば、把持部材を持ちながら、上下方向に操作することで、多面体ローラーにより所望とする刺激を与えることが可能となり、美容ローラーの操作が容易となる。
【図面の簡単な説明】
【００１０】
【図１】本考案の実施の形態に係る美容ローラー１を示す図である。
【図２】本考案の実施の形態に係る美容ローラー１の軸部材３０周辺の分解図である。
【図３】本考案の実施の形態に係る美容ローラー１の使用準備例を示す図である。
【図４】本考案の実施の形態に係る美容ローラー１の使用例を示す図である。
【図５】本考案の実施の形態に係る美容ローラー１の各多面体ローラーと肌との接触状態を説明する図である。
【考案を実施するための形態】
【００１１】
以下、本考案の実施の形態を図面を参照しつつ説明する。図１は本考案の実施の形態に係る美容ローラー１を示す図である。本考案に係る美容ローラー１は、皮膚に刺激を与え、肌をマッサージすることで美容効果を増進する器具である。
【００１２】
本考案に係る美容ローラー１は、操作者が手持ちする把持部材５と、この把持部材５から延出する主棹７と、この主棹７から２方に分岐した２本の副棹８と、を有している。１本の主棹７と２本の副棹８とで略Ｙ字の形状をなしている。
【００１３】
２本の副棹８の間には、第１多面体ローラー１０が回転自在に取り付けられている。また、２本の副棹８の外側には、２個の第２多面体ローラー２０が回転自在に取り付けられている。本実施形態では、第１多面体ローラー１０と第２多面体ローラー２０は、共に４８面体である。ただし、本考案に係る美容ローラー１では、第１多面体ローラー１０と第２多面体ローラー２０の多面体が、必ずしも４８面体である必要はない。
【００１４】
例えば、第１多面体ローラー１０と第２多面体ローラー２０とを共に６４面体とすることなどもできる。第１多面体ローラー１０、第２多面体ローラー２０の多面体の面数は任意とすることができるが、多面体ローラーを構成する多面体の面数を多くし過ぎてしまうと、多面体ローラーは球体に近づいていくため、多面体角部による皮膚刺激の度合いが減少傾向となってしまうことに留意する必要がある。
【００１５】
また、中央の第１多面体ローラー１０を構成する多面体の面数と、その両脇の第２多面体ローラー２０を構成する多面体の面数とを異ならせることもできる。例えば、第１多面体ローラー１０を構成する多面体の面数を、第２多面体ローラー２０を構成する多面体の面数より少なくすると、美容ローラー１で皮膚を走査する範囲の中央部付近の範囲とその両脇の範囲とで使用感やマッサージ効果を異ならせることができる。
【００１６】
第１多面体ローラー１０の経は、２個の第２多面体ローラー２０の経より小径とされている。このような経の相違により、本考案に係る美容ローラー１は、頬のラインや、瞼などにフィットする。
【００１７】
また、第１多面体ローラー１０と２個の第２多面体ローラー２０のうちの少なくとも１個の多面体ローラーに金塗膜を施すこともできる。この場合、第１多面体ローラー１０のみに金塗膜を施すパターン、２個の第２多面体ローラー２０に金塗膜を施すパターン、第１多面体ローラー１０と２個の第２多面体ローラー２０の全てに金塗膜を施すパターン、を適宜選択することができる。金塗膜を有する多面体ローラーを用いた本考案に係る美容ローラー１は、皮膚における微弱電流を誘発し、肌の新陳代謝を向上させることができる。一方、金塗膜はコストアップの要因ともなるので、バランスが考慮され仕様が決められる。
【００１８】
第１多面体ローラー１０と２個の第２多面体ローラー２０には貫通穴が設けられており、これらの貫通穴に軸部材３０が挿通されることで、それぞれ回転自在とされている。すなわち、第１多面体ローラー１０と２個の第２多面体ローラー２０は、把持部材５の長手方向に対して垂直な方向に回転軸を有している。これにより、本考案の美容ローラー１によれば、把持部材５を持ちながら、上下方向に操作することで、多面体ローラーにより上下に所望とする刺激を与えることが可能となり、美容ローラー１の操作が容易となる。
【００１９】
副棹８にも貫通穴が設けられており、この貫通穴にも軸部材３０が挿通されると共に、軸部材３０の両端では、端部留めネジ部材４０が固着されている。これらの構成により、第１多面体ローラー１０と２個の第２多面体ローラー２０が、抜け留めされている。また、多面体ローラーが他の部材と接触し摩耗等がないように、ＰＥＴなどの樹脂製軸受け部材３３が軸部材３０に介挿されている。
【００２０】
また、副棹８の外側には、シリコンゴムからなるＯリング３５が軸部材３０に介挿されており、多面体ローラーが軸方向に移動することを適度に許容し、使い心地を向上させている。
【００２１】
図２は本考案の実施の形態に係る美容ローラー１の軸部材３０周辺の分解図である。なお、図２において、軸部材３０については図示を省略している。樹脂製軸受け部材３３は、フランジ部３１とスリーブ部３２とからなるハトメ状をなしており、軸部材３０が内嵌されるようになっている。また、第１多面体ローラー１０、第２多面体ローラー２０の貫通穴には、樹脂製軸受け部材３３のスリーブ部３２が内嵌される。このような樹脂製軸受け部材３３によれば、第１多面体ローラー１０、第２多面体ローラー２０の貫通穴における摩耗を防止することができ、美容ローラー１の耐久性を高めると共に、第１多面体ローラー１０や第２多面体ローラー２０の回転もスムーズとなる。
【００２２】
本考案に係る美容ローラー１の第１多面体ローラー１０、第２多面体ローラー２０には、結晶シリコンを多面体形状に削り出して得られるものを用いている。第１多面体ローラー１０、第２多面体ローラー２０は、外周面に多数の角部を有しており、第１多面体ローラー１０、第２多面体ローラー２０が回転軸を中心として回転しつつ肌の上を進行することで、肌は適度な刺激を受け、活性化することが可能となる。
【００２３】
また、本考案に係る美容ローラー１の第１多面体ローラー１０、第２多面体ローラー２０には、純度が９９．９９９９％以上（６Ｎ以上）である結晶シリコンが用いられている。第１多面体ローラー１０、第２多面体ローラー２０を暖めたり冷やしたりして、その熱を人の皮膚に伝達させる際には、上記のような結晶シリコンが最適な熱伝導率を有するものである、という知見が得られている。
【００２４】
本考案に係る美容ローラー１において、暖められた第１多面体ローラー１０、第２多面体ローラー２０を、皮膚に当てつつ回転させ、刺激を加えることで、新陳代謝や血流を促すことができ、本考案に係る美容ローラー１によれば、高いマッサージ効果を得ることができる。
【００２５】
本考案に係る美容ローラー１において、冷やされた第１多面体ローラー１０、第２多面体ローラー２０を、皮膚に当てつつ回転させ、冷刺激を加えることで、皮膚や毛穴、筋肉を引き締めてリフトアップ効果を期待することができる。
【００２６】
また、本考案に係る美容ローラー１による冷刺激を受けた皮膚は、皮膚温を元に戻そうとする作用が働くため、血流が増大し、新陳代謝が促進される。
【００２７】
また、このような結晶シリコンからなる第１多面体ローラー１０、第２多面体ローラー２０を用いた本考案に係る美容ローラー１は、皮膚下層の水分子を活性化し、むくみなどを除去し、美容効果を増進することができる。
【００２８】
また、結晶シリコンからなる第１多面体ローラー１０、第２多面体ローラー２０は、錆びなどが生じることもなく、腐食せず半永久的に効果が持続する。また、このような第１多面体ローラー１０、第２多面体ローラー２０を用いた本考案に係る美容ローラー１は、入浴時などにも使用することができ、入浴による身体のリフレッシュ効果に加えた相乗的な美容効果を得ることができる。
【００２９】
以上、第１多面体ローラー１０、第２多面体ローラー２０に結晶シリコンを用いた場合を例に説明を行ったが、第１多面体ローラー１０、第２多面体ローラー２０として、微量のホウ素（Ｂ）又はリン（Ｐ）が添加された結晶シリコンを用いた実施形態も好ましい。微量のホウ素（Ｂ）又はリン（Ｐ）が添加された結晶シリコンを用いた第１多面体ローラー１０、第２多面体ローラー２０は、良好な熱伝導性とともに、高い電気伝導度を具備したものとなり、このような第１多面体ローラー１０、第２多面体ローラー２０を用いた本考案に係る美容ローラー１によると、筋肉のコリや痛みの解消といった効果を期待することができる。
【００３０】
また、結晶シリコンからなる第１多面体ローラー１０、第２多面体ローラー２０には、金塗膜を施しておくこともできる。金塗膜を有する第１多面体ローラー１０、第２多面体ローラー２０が、皮膚上で回転することで、皮膚における微弱電流を誘発し、肌の新陳代謝を向上させることができる。また、金塗膜を有する第１多面体ローラー１０、第２多面体ローラー２０を用いた本考案に係る美容ローラー１は、特に金属アレルギーなどを起こしにくい。
【００３１】
以上のように構成される本考案に係る美容ローラー１の使用例を以下に説明する。図３は本考案の実施の形態に係る美容ローラー１の使用準備例を示す図である。図３は、本考案に係る美容ローラー１の第１多面体ローラー１０、第２多面体ローラー２０を、温水或いは冷水（Ｌ）に浸して、暖めたり冷やしたりしている様子を示している。このように、本考案に係る美容ローラー１を構成する多面体ローラーを暖めたり冷やしたりすることで、より一層の美容効果をあげることができる。
【００３２】
図４は本考案の実施の形態に係る美容ローラー１の使用例を示す図である。本考案に係る美容ローラー１の使用者は、把持部材５を手に持ち、例えば、上記のように暖めたり冷やしたりした多面体ローラーを、顔の上で回転させつつ肌に刺激を加えていくことで、これまで説明したような美容効果を得ることができる。
【００３３】
図５は本考案の実施の形態に係る美容ローラー１の各多面体ローラーと肌との接触状態を説明する図である。本考案に係る美容ローラー１においては、第１多面体ローラー１０の経は、２個の第２多面体ローラー２０の経より小径とされている。このような経の相違により、図５に示すように、本考案に係る美容ローラー１が、頬や瞼などのライン（Ｒ）に沿ってフィットし、使用感が増す。
【００３４】
以上、本考案の美容ローラー１では、多面体ローラー（１０、２０）は把持部材５の長手方向に対して垂直な方向に回転軸を有するので、本考案の美容ローラー１によれば、把持部材５を持ちながら、上下方向に操作することで、多面体ローラー（１０、２０）により所望とする刺激を与えることが可能となり、美容ローラーの操作が容易となる。
【符号の説明】
【００３５】
１・・・美容ローラー
５・・・把持部材
７・・・主棹
８・・・副棹
１０・・・第１多面体ローラー
２０・・・第２多面体ローラー
３０・・・軸部材
３１・・・フランジ部
３２・・・スリーブ部
３３・・・樹脂製軸受け部材
３５・・・Ｏリング
４０・・・端部留めネジ部材
【図１】
0003220432.tif 000003
【図２】
0003220432.tif 000004
【図３】
0003220432.tif 000005
【図４】
0003220432.tif 000006
【図５】
0003220432.tif 000007